(57)【要約】【課題】携帯電話機を収容する携帯電話機用ケースを提供する。【解決手段】携帯電話機１０が収容される本体２、本体２を塞ぐ蓋３、及び蓋３を開閉可能に本体２に固定するヒンジ４から携帯電話機用ケース１を構成し、本体２及び蓋３に携帯電話機１０に当接する緩衝材２ｂ，３ｂを設ける。それにより、携帯電話機１０を収容するとともに、２つの緩衝材２ｂ，３ｂが携帯電話機１０に当接することでその振動を効果的に緩衝することができる。【選択図】図３
2015223190.tif 000002
【特許請求の範囲】
【請求項１】
携帯電話機を収容する携帯電話機用ケースであって、
前記携帯電話機が収容される箱体と、
前記箱体を塞ぐ蓋体と、
前記蓋体を開閉可能に前記箱体に固定する固定具と、
前記蓋体の前記箱体への固定を施錠する施錠具とを備えることを特徴とする、携帯電話機用ケース。
【請求項２】
前記施錠具は、タイマーを有し、該タイマーにより設定された設定時間の経過により前記施錠を解除することを特徴とする、請求項１に記載の携帯電話機用ケース。
【請求項３】
前記箱体と前記蓋体との少なくとも一方に前記携帯電話機に当接する緩衝材が設けられていることを特徴とする、請求項１又は２に記載の携帯電話機用ケース。
【請求項４】
前記緩衝材は、前記箱体内の底面と前記蓋体の裏面とにそれぞれ設けられていることを特徴とする、請求項３に記載の携帯電話機用ケース。
【請求項５】
前記緩衝材は、ゴム又はスポンジから構成されることを特徴とする、請求項４に記載の携帯電話機用ケース。
【請求項６】
前記箱体は、前記携帯電話機に接続される充電用ケーブルが通る穴部を有することを特徴とする、請求項１〜５のいずれか一項に記載の携帯電話機用ケース。
【発明の詳細な説明】
【技術分野】
【０００１】
本発明は、携帯電話機を収容する携帯電話機用ケースに関する。
【背景技術】
【０００２】
携帯電話機を収容する携帯電話機用ケースとして、浴場、プール等の水場において防水を目的とするものが知られている（例えば、特許文献１参照）。この携帯電話機用ケースは、収納された携帯電話機が着信を知らせるバイブレーション機能によって振動すると、携帯電話機に当接する板片等により振動をケースに伝える、又は振動により音を発生してケース外に伝えることで、使用者に着信を知らせることができる。
【０００３】
その他の携帯電話機用ケースの用途として、例えば会議中に携帯電話機を一時的に保管することもある。係る場合、着信による振動をケースに伝えるのは望ましくない。携帯電話機の設定によりバイブレーション機能をオフにすることも可能であるが、その設定に手間を要する上に、設定を誤ることもある。また、再び着信を知りたくなった場合に、バイブレーション機能の再設定を忘れてしまうこともある。そこで、バイブレーション機能の設定を要さず、収容される携帯電話機の振動をケースに伝えない携帯電話機用ケースが望まれる。
【先行技術文献】
【特許文献】
【０００４】
【特許文献１】特開２００４−１６３６０号公報
【発明の概要】
【発明が解決しようとする課題】
【０００５】
本発明は、携帯電話機を収容する携帯電話機用ケースを提供することを課題とする。
【課題を解決するための手段】
【０００６】
本発明は、携帯電話機を収容する携帯電話機用ケースであって、携帯電話機が収容される箱体と、箱体を塞ぐ蓋体と、蓋体を開閉可能に箱体に固定する固定具と、を備え、箱体と蓋体との少なくとも一方に携帯電話機に当接する緩衝材が設けられていることを特徴とする。
【０００７】
これによれば、携帯電話機を収容するとともに、緩衝材を当接することで収容された携帯電話機の振動を緩衝することができる。
【０００８】
本発明の携帯電話機用ケースは、緩衝材は、箱体内の底面と蓋体の裏面とにそれぞれ設けられていることを特徴とする。
【０００９】
これによれば、携帯電話機を収容し、蓋体を用いて箱体を塞いだ際に、箱体と蓋体とのそれぞれに設けられた２つの緩衝材が携帯電話機を挟んで当接することで、携帯電話機の振動を効果的に緩衝することができる。
【００１０】
本発明の携帯電話機用ケースは、緩衝材は、ゴム又はスポンジから構成されることを特徴とする。
【００１１】
これによれば、携帯電話機の振動を効果的に緩衝することができる。
【００１２】
本発明の携帯電話機用ケースは、蓋体の箱体への固定を施錠する施錠具をさらに備える。
【００１３】
これによれば、施錠具により蓋体の箱体への固定を施錠することで、箱体内に収容された携帯電話機を取り出すことができなくなる。
【００１４】
本発明の携帯電話機用ケースは、施錠具は、タイマーを有し、このタイマーにより設定された設定時間の経過により施錠を解除することを特徴とする。
【００１５】
これによれば、設定時間を経過するまで蓋体を開けられず、箱体内に収容された携帯電話機を取り出すことができなくなる。
【００１６】
本発明の携帯電話機用ケースは、箱体は、携帯電話機に接続される充電用ケーブルが通る穴部を有することを特徴とする。
【００１７】
これによれば、箱体に収容された携帯電話機に充電用ケーブルを接続することができる。
【発明の効果】
【００１８】
本発明の携帯電話機用ケースによれば、携帯電話機を収容するとともに、その収容された携帯電話機の振動を緩衝することが可能となる。
【図面の簡単な説明】
【００１９】
【図１】図１は、携帯電話機用ケースの構成を示す斜視図である。
【図２】図２は、蓋が開いた状態における携帯電話機用ケースの構成を示す平面図である。
【図３】図３は、蓋が閉じた状態における携帯電話機用ケースの構成を示す断面図（図１における基準線ＢＢに関する断面図）である。
【図４】図４は、電気錠の概略構成及び仕組みを説明するための側面図である。
【発明を実施するための形態】
【００２０】
以下、一実施形態に係る携帯電話機用ケースについて説明する。
【００２１】
図１〜３に、本実施形態に係る携帯電話機用ケース１の構成を示す。携帯電話機用ケース１は、本体２、蓋３、及びヒンジ４から構成される。なお、図２では、蓋を開いた状態においてその構成を示している。
【００２２】
本体２は、上方が開いた直方体状の箱体であり、図２に示すように、その内部に側面と僅かな間隙を介して携帯電話機１０が収容される。本体２の左側面には、後述する係止片３ａが係止する溝部２ａが形成されている。本体２の下側面には、穴部２ｅが形成されている（図１参照）。また、本体２内の底面には、携帯電話機１０の裏面より若干小さい矩形状の緩衝材２ｂが敷設されている。緩衝材２ｂとして、弾力のあるゴム或いはスポンジを採用することができる。なお、携帯電話機１０は、緩衝材２ｂ上に載置される。
【００２３】
蓋３は、その裏面に凹部が形成された蓋部材であり、その凹部の内側に本体２内に収容された携帯電話機１０の上側の一部を収容して、本体２の上方を塞ぐ。蓋３の図２における右側面には、溝部２ａに係る係止片３ａが形成されている。また、蓋３の凹部には、携帯電話機１０の表面より若干小さい矩形状の緩衝材３ｂが敷設されている。緩衝材３ｂとして、緩衝材２ｂと同様の素材を採用することができる。
【００２４】
ヒンジ４は、本体２に対して蓋３を開閉可能に固定する蝶番であり、図２より分かるように、番の一方及び他方が、それぞれ、本体２の右側面及びこれに対応する蓋３の左側面に固定されている。本体２に対して蓋３を閉じることで、図３に示すように、蓋３の係止片３ａが本体２の溝部２ａに係止して、蓋３が本体２に固定される。このとき、本体２の緩衝材２ｂと蓋３の緩衝材３ｂの離間距離は携帯電話機１０の厚みより若干小さくなるように、２つの緩衝材２ｂ，３ｂの厚みが定められているものとする。
【００２５】
本体２内に携帯電話機１０を収容すると携帯電話機１０の裏面に本体２内の緩衝材２ｂが当接し、さらに蓋３を閉じると携帯電話機１０の表面に蓋３の緩衝材３ｂが当接する。すなわち、携帯電話機１０は、携帯電話機用ケース１内で２つの緩衝材２ｂ，３ｂにより適度の強度で挟圧される。この状態において、携帯電話機１０が着信を知らせるバイブレーション機能が作動して振動すると、その振動は携帯電話機１０を挟圧する２つの緩衝材２ｂ，３ｂにより効果的に緩衝され、ほとんど本体２及び蓋３に伝わることはない。
【００２６】
携帯電話機１０を収容し、蓋３を閉じた状態において、本体２の側面に設けられた穴部２ｅを介して携帯電話機１０に充電用ケーブルを接続して、充電することもできる。
【００２７】
以上詳細に説明したように、本実施形態に係る携帯電話機用ケース１によると、携帯電話機１０が収容される本体２、本体２を塞ぐ蓋３、及び蓋３を開閉可能に本体２に固定するヒンジ４から構成され、本体２及び蓋３に携帯電話機１０に当接する緩衝材２ｂ，３ｂが設けられている。それにより、携帯電話機１０を収容するとともに、２つの緩衝材２ｂ，３ｂを携帯電話機１０に当接することでその振動を効果的に緩衝することができる。
【００２８】
なお、本実施形態における携帯電話機用ケース１では、本体２と蓋３との両方に緩衝材２ｂ，３ｂを設けて、それら２つの緩衝材により収容される携帯電話機１０を挟圧することとしたが、これに限らず、それらの一方のみ、特に携帯電話機１０が載置される緩衝材２ｂのみを設けることとしてもよい。緩衝材２ｂが携帯電話機１０に当接することでその振動を緩衝することができる。また、本体２の内側面に緩衝材を設け、これにより収容される携帯電話機を挟圧してもよい。
【００２９】
また、蓋３の本体２への固定を施錠する施錠具を設けてもよい。施錠具により蓋３の本体２への固定を施錠することで、収容された携帯電話機を取り出すことができなくなる。これにより、例えば、盗難を防止することができる。施錠具として、例えば本体２及び蓋３の一方に鍵穴を設け、これに鍵を差し込んでまわすことで、本体２及び蓋３の一方から突片が他方に設けられた溝部に係合することで固定が施錠されるものを採用することができる。
【００３０】
また、図４（Ａ）に示す電気式の施錠具を採用することもできる。蓋３の側面に突片３ｃが形成され、その内部に電磁石５が内設されている。また、突片３ｃの側部には穴部３ｄが形成されている。本体２の側面には、突片３ｃが嵌り合う凹部２ｃ、これに連なる穴部２ｄが形成されている。穴部２ｄ内には、可動式の磁性体６が内設されている。蓋３を閉じ、突片３ｃを本体２の凹部２ｃに嵌め入れると、制御回路（不図示）により電磁石５が作動する。それにより、図４（Ｂ）に示すように、磁性体６が穴部２ｄから引き出されて、突片３ｃの穴部３ｄに嵌り合うことで施錠される。制御回路に解除コードを入力すると、電磁石５が停止し、図４（Ａ）に示すように磁性体６が穴部２ｄ内に戻ることで施錠が解除される。
【００３１】
また、施錠具にタイマー機能を設けてもよい。予め制御回路（不図示）に解除時間を設定する。施錠後、解除時間が経過すると、制御回路が施錠を解除する。それにより、解除時間を経過するまで蓋３を開けられず、収容された携帯電話機を取り出すことができなくなる。これにより、例えば、盗難を防止することができる。
【産業上の利用可能性】
【００３２】
本発明の携帯電話機用ケースは、携帯電話機を収容するのに好適である。
【符号の説明】
【００３３】
１    携帯電話機用ケース
２    本体
２ａ  溝部
２ｂ  緩衝材
２ｃ  凹部
２ｄ  穴部
２ｅ  穴部
３    蓋
３ａ  係止片
３ｂ  緩衝材
３ｃ  突片
３ｄ  穴部
４    ヒンジ
５    電磁石
６    磁性体
１０  携帯電話機
【図１】
2015223190.tif 000003
【図２】
2015223190.tif 000004
【図３】
2015223190.tif 000005
【図４】
2015223190.tif 000006